(57)【特許請求の範囲】
【請求項１】
商用電源に接続される交流電源部と、
前記交流電源部からの出力を昇圧および整流して、所定波形の陰電位出力を出力するための第１昇圧整流回路と、
前記交流電源部からの出力を昇圧および整流して、前記第１昇圧整流回路から出力される陰電位出力と１８０°位相のずれた所定波形の陰電位出力を出力するための第２昇圧整流回路と、
前記第１昇圧整流回路に接続され、患者の患部に接触させるための第１出力部と、
前記第２昇圧整流回路に接続され、前記第１出力部とともに患者の患部に接触させるための第２出力部と
を備え、
前記第１昇圧整流回路は、前記交流電源部からの出力を昇圧するための１次巻線および２次巻線を備え、
前記第２昇圧整流回路は、前記交流電源部からの出力を昇圧するための１次巻線および２次巻線を備え、
前記第１昇圧整流回路から出力される陰電位出力の波形の位相と、前記第２昇圧整流回路から出力される陰電位出力の波形の位相とを１８０°ずらすために、
前記交流電源部の出力側の一方側端子が、前記第１昇圧整流回路の１次巻線の一方側および前記第２昇圧整流回路の１次巻線の他方側と接続され、
前記交流電源部の出力側の他方側端子が、前記第１昇圧整流回路の１次巻線の他方側および前記第２昇圧整流回路の１次巻線の一方側と接続され、
前記第１昇圧整流回路の１次巻線の一方側が、前記第２昇圧整流回路の１次巻線の他方側と接続され、
前記第１昇圧整流回路の１次巻線の他方側が、前記第２昇圧整流回路の１次巻線の一方側と接続されていることを特徴とする、陰電位治療器。
【発明の詳細な説明】
【０００１】
【発明の属する技術分野】
本発明は、出力部から陰電位を発生させる陰電位治療器に関する。
【０００２】
【従来の技術】
陰電位治療器は、出力部にたとえばマイナス数百ボルトの陰電位を与えて治療効果を発揮する治療器であり、たとえば、商用電源を用い、整流回路が接続されている出力部から陰電位を出力させるように構成されているものが各種知られている。
【０００３】
【発明が解決しようとする課題】
しかし、このような陰電位治療器では、商用電源からの交流電圧波形が整流回路によって整流された後、出力部から陰電位として出力されるので、陰電位の出力が１周期の約半分、つまり、陰電位が出力される時間と出力されない時間とが約等間隔で繰り返されるので、全治療時間における実質的な陰電位治療時間が、およそ半分となる。また、出力波形としては、図４（ａ）や図４（ｂ）に示すような波形となるので、陰電位の出力が低くなり、より効率的な治療器の開発が求められている。
【０００４】
本発明は、このような事情に鑑みなされたものであり、その目的とするところは、陰電位を常時継続的に出力させることができ、陰電位の出力が高い陰電位治療器を提供することにある。
【０００５】
【課題を解決するための手段】
上記目的を達成するために、請求項１に記載の発明は、陰電位治療器において、商用電源に接続される交流電源部と、前記交流電源部からの出力を昇圧および整流して、所定波形の陰電位出力を出力するための第１昇圧整流回路と、前記交流電源部からの出力を昇圧および整流して、前記第１昇圧整流回路から出力される陰電位出力と１８０°位相のずれた所定波形の陰電位出力を出力するための第２昇圧整流回路と、前記第１昇圧整流回路に接続され、患者の患部に接触させるための第１出力部と、前記第２昇圧整流回路に接続され、前記第１出力部とともに患者の患部に接触させるための第２出力部とを備え、前記第１昇圧整流回路は、前記交流電源部からの出力を昇圧するための１次巻線および２次巻線を備え、前記第１昇圧整流回路から出力される陰電位出力の波形の位相と、前記第２昇圧整流回路から出力される陰電位出力の波形の位相とを１８０°ずらすために、前記交流電源部の出力側の一方側端子が、前記第１昇圧整流回路の１次巻線の一方側および前記第２昇圧整流回路の１次巻線の他方側と接続され、前記交流電源部の出力側の他方側端子が、前記第１昇圧整流回路の１次巻線の他方側および前記第２昇圧整流回路の１次巻線の一方側と接続され、前記第１昇圧整流回路の１次巻線の一方側が、前記第２昇圧整流回路の１次巻線の他方側と接続され、前記第１昇圧整流回路の１次巻線の他方側が、前記第２昇圧整流回路の１次巻線の一方側と接続されていることを特徴としている。
【０００８】
このような構成によると、第１出力部および第２出力部をともに患者の患部に接触させることにより、第１出力部および第２出力部からは、位相が互いに１８０°ずれる波形の陰電位が交互に発生するので、全治療時間において、常時継続的に陰電位を発生させることができ、また、出力の高い陰電位を発生させることができるので、効率的な治療を実現することができる。
【０００９】
【発明の実施の形態】
図１は、本発明の陰電位治療器の一実施形態を示す回路図である。
【００１０】
この陰電位治療器１は、２つの第１出力部２および第２出力部３、交流電源部４および２つの第１昇圧整流回路５および第２昇圧整流回路６を備えている。
【００１１】
第１出力部２および第２出力部３は、患者に接触させて陰電位を出力するためのプローブとして形成されている。また、第１出力部２は、後述する第１昇圧整流回路５の２次巻線１２の一方側に、抵抗１９およびネオン管２１を介して接続されており、第２出力部３は、後述する第２昇圧整流回路６の２次巻線１６の一方側に、抵抗２０およびネオン管２２を介して接続されている。
【００１２】
各ネオン管２１および２２は、それぞれ、第１出力部２および第２出力部３に陰電位の出力が行なわれている時に点灯するように構成されており、市販のネオン管を用いることができる。
【００１３】
交流電源部４は、交流電源（商用電源）７に接続されるＡ／Ｃコントローラ８を備えており、Ａ／Ｃコントローラ８の入力側の一方側端子は、ヒューズ９を介して交流電源７と接続され、また、Ａ／Ｃコントローラ８の入力側の他方側端子は、メインスイッチ１０を介して交流電源７と接続される。なお、このＡ／Ｃコントローラ８は、交流電源７からの出力を治療に応じて調節できるように構成されている。
【００１４】
そして、Ａ／Ｃコントローラ８の出力側の一方側端子が次に述べる第１昇圧整流回路５の１次巻線１１の一方側および第２昇圧整流回路６の１次巻線１５の他方側と接続され、また、Ａ／Ｃコントローラ８の出力側の他方側端子が次に述べる第１昇圧整流回路５の１次巻線１１の他方側および第２昇圧整流回路６の１次巻線１５の一方側と接続されている。
【００１５】
第１昇圧整流回路５は、１次巻線１１、２次巻線１２、抵抗（図１ではダイオード）１３および抵抗１４を備えている。１次巻線１１の一方側は、Ａ／Ｃコントローラ８の出力側の一方側端子および後述する第２昇圧整流回路６の１次巻線１５の他方側に接続されており、１次巻線１１の他方側は、後述する第２昇圧整流回路６の１次巻線１５の一方側およびＡ／Ｃコントローラ８の出力側の他方側端子に接続されている。
【００１６】
また、２次巻線１２の一方側は、抵抗１９およびネオン管２１を介して第１出力部２に接続され、２次巻線１２の他方側は、抵抗１３を介して１次巻線１１の他方側に接続されている。また、２次巻線１２の一方側と他方側とは抵抗１４を介して接続されている。
【００１７】
そして、この第１昇圧整流回路５においては、Ａ／Ｃコントローラ８からの出力が、１次巻線１１および２次巻線１２によって昇圧される一方で、２次巻線１２から抵抗１３によって、正電位が１次巻線１１側に落とされるので、図１のＡ点においては、図２（ａ）に示すような波形を得ることができる。
【００１８】
また、第２昇圧整流回路６は、１次巻線１５、２次巻線１６、抵抗（図１ではダイオード）１７および抵抗１８を備えている。１次巻線１５の一方側は、第１昇圧整流回路５の１次巻線１１の他方側およびＡ／Ｃコントローラ８の出力側の他方側端子に接続されており、１次巻線１５の他方側は、Ａ／Ｃコントローラ８の出力側の一方側端子および第１昇圧整流回路５の１次巻線１１の一方側に接続されている。
【００１９】
また、２次巻線１６の一方側は、抵抗２０およびネオン管２２を介して第２出力部３に接続され、２次巻線１６の他方側は、抵抗１７を介して１次巻線１５の他方側に接続されている。また、２次巻線１６の一方側と他方側とは抵抗１８を介して接続されている。
【００２０】
そして、この第２昇圧整流回路６においても、Ａ／Ｃコントローラ８からの出力が、１次巻線１５および２次巻線１６によって昇圧される一方で、２次巻線１６から抵抗１７によって、正電位が１次巻線１５側に落とされるので、図１のＢ点においては、前述のＡ点で得られる波形（図２（ａ）参照）と同様の波形を得ることができる。但し、得られる波形は、後述するようにＡ点で得られる波形に対してその位相が１８０°ずれるようになる。
【００２１】
そして、この陰電位治療器１では、メインスイッチ１０のオンにより、交流電源７とＡ／Ｃコントローラ８とが接続され、Ａ／Ｃコントローラ８からの出力が、第１昇圧整流回路５によって、上記したように、昇圧および整流され所定波形の陰電位出力として出力されるとともに、第２昇圧整流回路６によっても、昇圧および整流され所定波形の陰電位出力として出力されるが、第１昇圧整流回路５の１次巻線１１の一方側および第２昇圧整流回路６の１次巻線１５の他方側がＡ／Ｃコントローラ８の出力側の一方側端子に接続されており、また、第１昇圧整流回路５の１次巻線１１の他方側および第２昇圧整流回路６の１次巻線１５の一方側がＡ／Ｃコントローラ８の出力側の他方側端子に接続されていることから、第１昇圧整流回路５および第２昇圧整流回路６からの陰電位出力は、互いに位相が１８０°ずれた状態となり、第１出力部２および第２出力部３からは、位相が互いに１８０°ずれた波形として陰電位が交互に発生する。
【００２２】
そのため、患者に施術するにあたって、第１出力部２および第２出力部３をともに患部に接触させれば、第１出力部２および第２出力部３からは、位相が１８０°ずれた陰電位が交互に発生する、すなわち、図２（ｂ）に示すように、実線で示す第１出力部２の陰電位の出力波形と、点線で示す第２出力部３の陰電位の出力波形とが重なり合った波形として出力されるので、全治療時間において、常時継続的に陰電位を発生させることができる。これにより、図２（ｂ）において、実線で示す波形がプラスであるとき、点線で示す波形がマイナスであることで、患部には高い出力の陰電位が流れることになるので、効率的な治療を実現することができる。
【００２３】
なお、以上の説明では、図１の回路図において、抵抗１３および１７としてダイオードを用いたが、これに代えて通常の抵抗を用いてもよい。
【００２４】
また、この陰電位治療器１においては、より具体的には、１次巻線１１および１５の電圧は、０〜１００Ｖであり、２次巻線１２および１６の電圧は、０〜５００Ｖであり、抵抗１３および１７の抵抗値は１ＭΩであり、抵抗１４および１８の抵抗値は２ＭΩであり、抵抗１９および２０の抵抗値は１ｋΩとされるが、治療器の構成によって適宜選択すればよい。
【００２５】
なお、これらの選択範囲において、第１昇圧整流回路５の２次巻線１２および第２昇圧整流回路６の２次巻線１６の電圧は、０〜２０００Ｖの範囲内が好適である。第１昇圧整流回路５の２次巻線１２および第２昇圧整流回路６の２次巻線１６の電圧が０〜２０００Ｖの範囲であるときには、第１昇圧整流回路５の抵抗１３および第２昇圧整流回路６の抵抗１７の抵抗値、第１昇圧整流回路５の抵抗１４および第２昇圧整流回路６の抵抗１８の抵抗値、また、抵抗１９および抵抗２０の抵抗値は、適宜選択すればよい。ただし、最も治療効果が高いのは、第１昇圧整流回路５の２次巻線１２および第２昇圧整流回路６の２次巻線１６の電圧が、０〜５００Ｖの範囲にあるときである。
【００２６】
また、波形の選択範囲としては、たとえば、図３（ａ）に示すように、正電位と陰電位とが互いに同じ出力で互いに１８０°ずれる波形や、図３（ｂ）に示すように、正電位をなくして陰電位だけを継続して出力する波形が含まれる。ただし、図２（ｂ）に示す波形が最も治療効果が高い。また、位相のずれる範囲は無数であり、正電位と陰電位とが常に１８０°ずれるように構成されているために、高い出力で陰電位を出力することができる。
【００２７】
また、出力端子は、２個の端子を１組として、数限りなく取り分けることができる。その場合、出力時間をずらすことにより、数限りなく位相をずらすことができる。
【００２８】
そして、このように構成される陰電位治療器１は、たとえば、筋肉の凝りや痛み、あるいは、神経の痛みやしびれを緩和するなど、さまざまな症状を緩和することができる。
【００２９】
すなわち、筋肉の凝りや痛みは、骨格筋に原因がある。骨格筋の起始部に陰電位を流すことにより、筋肉の痛み凝りは緩和される。また、神経の痛み、しびれは脊髄神経に原因がある。脊髄神経の神経根に陰電位を流すことにより神経の痛み、しびれは緩和される。ただし、椎間板ヘルニアの場合、軽度のときは、痛み、しびれは緩和するが、重度のときは緩和されない場合がある。また、陰電位を流すことにより、細胞内液と細胞外液との電位バランスが整い、細胞が活性化されるので、器官や臓器も活性化され、さまざまな症状を緩和することができる。
【００３０】
なお、この発明の技術的な範囲内において、種々の改変は可能であり、この発明がそれらの改変されたものに及ぶことは至極当然である。
【００３１】
[施術例１]
頭痛、頚部の凝り、肩の凝りの場合は、主に、頭半棘筋と頚部の長回旋筋と短回旋筋、頚棘筋、多裂筋、板状筋、肩甲挙筋、小菱形筋、僧帽筋、胸鎖乳突筋等の起始部に陰電位を流すと、頭痛、頚部の凝り、肩の凝りは緩和された。ただし、頭部、頚部、肩甲部等に病変がある場合には、この限りではない。
【００３２】
[施術例２]
メニエル症候群と呼ばれる症状において、目まいやふらつきがある場合には、耳門、聴宮、エイ風、完骨の経穴部位に陰電位を流すと、平衡感覚を司る器官の細胞が活性化されるために症状は緩和された。ただし、内耳部や頭部等に病変がある場合には、この限りではない。
【００３３】
[施術例３]
頚肩腕症候群と呼ばれる症状で、腕が前方、後方、上方へと動かすことができないという場合においての施術部位は、主に、下部頚椎と上部胸椎の長回旋筋と短回旋筋、肩甲挙筋、小菱形筋、大菱形筋、棘下筋、小円筋、大円筋、広背筋、三角筋、僧帽筋、小胸筋、大胸筋等の起始部に陰電位を流すと症状は緩和された。ただし、頚肩腕部、胸部、頚部等、他に病変がある場合には、この限りではない。
【００３４】
[施術例４]
肋間神経の痛みは、肋間神経根に陰電位を流すと痛みは緩和された。ただし、胸部や内臓等に病変がある場合には、この限りではない。
【００３５】
[施術例５]
腰痛の場合は、主に、腰椎の長回旋筋と、棘間筋、大腰筋、小殿筋、中殿筋、大殿筋、梨状筋、仙棘筋等の起始部に陰電位を流すと腰痛は緩和された。ただし、腰部、殿部、腹部や内臓等、他に病変がある場合には、この限りではない。
【００３６】
[施術例６]
坐骨神経の痛みの場合は、腰椎の４番、５番、仙椎の間にある神経根部と仙椎の１番、２番、３番部にある、後仙骨孔の部分とに陰電位を流すと痛みは緩和された。ただし、腰部、殿部、両方の足部や内臓等に病変がある場合には、この限りではない。
【００３７】
[施術例７]
膝関節痛の場合は、[施術例５]に加えて、縫工筋、大腿筋膜張筋、大腿直筋、足底筋、膝窩筋、ヒラメ筋、腓腹筋、薄筋、大腿二頭筋、半膜様筋等の起始部に陰電位を流すと痛みは緩和された。ただし、膝関節部、腰部、内臓等、他に病変がある場合には、この限りではない。
【００３８】
以上述べたように、請求項１に記載の発明によれば、第１出力部および第２出力部をともに患者の患部に接触させることにより、第１出力部および第２出力部からは、位相が互いに１８０°ずれる波形の陰電位が交互に発生するので、全治療時間において、常時継続的に陰電位を発生させることができ、また、出力の高い陰電位を発生させることができるので、効率的な治療を実現することができる。
【図面の簡単な説明】
【図１】本発明の陰電位治療器の一実施形態を示す回路図である。
【図２】図１に示す陰電位治療器の電位の波形を示し、
（ａ）は、図１に示すＡ点における電位の波形図、
（ｂ）は、第１出力部および第２出力部からの出力波形を重ね合わせた波形図を示す。
【図３】図１に示す陰電位治療器の電位の波形を示し、
（ａ）は、第１出力部および第２出力部からの出力波形を重ね合わせた波形図、
（ｂ）は、重ね合わせた出力波形の正電位を除いて陰電位部分だけを抽出した波形図を示す。
【図４】従来の陰電位治療器における陰電位出力波形を示す図である。
【符号の説明】
１    陰電位治療器
２    第１出力部
３    第２出力部
【図１】
0003801552.tif 000002
【図２】
0003801552.tif 000003
【図３】
0003801552.tif 000004
【図４】
0003801552.tif 000005